(57)【特許請求の範囲】
【請求項１】
録画部と録音部とを収納した本体ケースの端部に、回転可能に取り付けられたカメラハウジングと、
コネクタを有し、前記カメラハウジング内に取り付けられた中継基板と、
撮像素子と、ほぼＵ字形に折り返され、前記コネクタを介して前記撮像素子と前記中継基板とを接続するフレキシブル基板とを有し、前記中継基板と重なる位置に前記撮像素子が取り付けられたカメラモジュールと、
前記中継基板に接続され、シーンからの音声を音声信号に変換する左右トランスデューサと、
前記カメラハウジングの一方の側部に位置するループを有し、前記録画部と前記中継基板とを接続する画像用フレキシブル配線シートと、
前記カメラハウジングの他方の側部に位置するループを有し、前記録音部と前記中継基板とを接続する音声用フレキシブル配線シートと、
を備えることを特徴とするカメラモジュール取り付け装置。
【請求項２】
前記左右トランスデューサは、前記カメラハウジングの両側に設けられていることを特徴とする請求項１記載のカメラモジュール取り付け装置。
【請求項３】
前記中継基板上でカメラモジュールを保持するカメラモジュールホルダを備え、
前記カメラモジュールホルダと前記中継基板とは、ビスで前記カメラハウジングに固定されていることを特徴とする請求項１または２記載のカメラモジュール取り付け装置。
【発明の詳細な説明】
【技術分野】
【０００１】
本発明は、カメラモジュール取り付け装置に関するものである。
【背景技術】
【０００２】
携帯電話を初めとして各種の機器にはカメラ機構が広く採用されており、そのための汎用カメラモジュールが市販されている。この汎用カメラモジュールは、撮影レンズとＣＭＯＳイメージセンサやＣＣＤイメージセンサ等の撮像素子とをユニット化したものである。具体的には、撮像素子を保持したベース部と、このベース部上に取り付けられ、撮影レンズを収納したレンズ部と、ベース部から横に引き出されたフレキシブルプリント基板（Ｆｌｅｘｉｂｌｅ  Ｐｒｉｎｔｅｄ  Ｃｉｒｃｕｉｔｓ）とから構成されている。携帯電話等では、カメラモジュールが筐体に固定されていることが普通であるため、ＦＰＣは所定長さ（２〜３ｃｍ）の帯状をしている。
【０００３】
また、特許文献１には、円筒状をしたカメラ筐体（カメラハウジングに相当）を端末本体に回転可能に取り付け、この中にカメラ本体（カメラモジュールに相当）を収納した携帯電話が記載されている。この携帯電話では、端末本体をそのままにして、カメラ筐体だけを回転して、カメラ本体をシーンに向けることができる。
【先行技術文献】
【特許文献】
【０００４】
【特許文献１】特開２００３−２６２９１３号公報
【発明の概要】
【発明が解決しようとする課題】
【０００５】
特許文献１に記載されたカメラモジュールでは、ＦＰＣは、ベース部から横に引き出され、次に直角に曲げてから、１巻きと少し（約４５０°）のループを形成している。このループにより、カメラハウジングの回転を可能にしている。
【０００６】
特許文献１のように、回転可能なカメラハウジング内にカメラモジュールを設置する場合には、ループ付きのＦＰＣを使用することが必要である。しかし、汎用カメラモジュールには、ループはなく、またループが形成されるほど長くないため、回転可能なカメラハウジング内には汎用カメラモジュールを使用することができない。このため、専用のカメラモジュールが必要となるから、装置のコストアップを招くことになる。
【０００７】
本発明は、上記課題を解決するためになされたものであり、回転可能なカメラハウジングに、汎用のカメラモジュールを設置することができるようにしたカメラモジュール取り付け装置を提供することを目的とする。
【課題を解決するための手段】
【０００８】
上記目的を達成するために、本発明のカメラモジュール取り付け装置は、録画部と録音部とを収納した本体ケースの端部に、回転可能に取り付けられたカメラハウジングと、コネクタを有し、前記カメラハウジング内に取り付けられた中継基板と、撮像素子と、ほぼＵ字形に折り返され、前記コネクタを介して前記撮像素子と前記中継基板とを接続するフレキシブル基板とを有し、前記中継基板と重なる位置に前記撮像素子が取り付けられたカメラモジュールと、前記中継基板に接続され、シーンからの音声を音声信号に変換する左右トランスデューサと、前記カメラハウジングの一方の側部に位置するループを有し、前記録画部と前記中継基板とを接続する画像用フレキシブル配線シートと、前記カメラハウジングの他方の側部に位置するループを有し、前記録音部と前記中継基板とを接続する音声用フレキシブル配線シートと、を備えることを特徴とする。
【０００９】
また、前記左右トランスデューサは、前記カメラハウジングの両側に設けられていることが好ましい。なお、前記各フレキシブル配線シートとしては、ＦＰＣやＦＦＣ（Ｆｌｅｘｉｂｌｅ  Ｆｌａｔ  Ｃａｂｌｅ）等が挙げられる。
【００１０】
さらに、前記中継基板上でカメラモジュールを保持するカメラモジュールホルダを備え、前記カメラモジュールホルダと前記中継基板とは、ビスで前記カメラハウジングに固定されていることが好ましい。
【発明の効果】
【００１１】
本発明によれば、ループを有するフレキシブル配線シートを接続した中継基板を用い、この中継基板にカメラモジュールを取り付けるようにしたから、汎用品のカメラモジュールを使用することができる。
【図面の簡単な説明】
【００１２】
【図１】カメラ付きポータブル録音装置を示す正面斜視図である。
【図２】カメラ付きポータブル録音装置を示す背面斜視図である。
【図３】後カバーを取り外した状態のカメラ付きポータブル録音装置の上部を示す斜視図である。
【図４】左右マイクロフォンとカメラとを示す断面図である。
【図５】左右軸板を外したカメラの分解斜視図である。
【図６】カメラハウジングを分解したカメラの分解斜視図である。
【図７】カメラモジュールと中継基板と左右トランスデューサと左右支持アームとを示す分解斜視図である。
【図８】左トランスデューサと左支持アームとを示す分解斜視図である。
【図９】カメラハウジングを示す分解斜視図である。
【図１０】カメラモジュールとＦＰＣと中継基板とモジュールホルダとを示す分解斜視図である。
【図１１】カメラの断面図である。
【図１２】クリックストップ機構により左軸板を固定した状態の前カバーと後カバーと左軸板とを示す断面図である。
【図１３】クリックストップ機構による左軸板の固定を解除した状態の前カバーと後カバーと左軸板とを示す断面図である。
【図１４】カメラ付きポータブル録音装置の電気的構成を示すブロック図である。
【発明を実施するための最良の形態】
【００１３】
図１及び図２に示すように、カメラ付きポータブル録音装置２は、本体ケース３と、左マイクロフォン４と、右マイクロフォン５と、カメラ６とを備えている。各マイクロフォン４，５は、シーン内の音を集音し、集音した音を電気信号に変換する。本体ケース３は、前カバー１１と本体部１２と後カバー１３とから構成されている。カメラ６は、カメラハウジング１４と、このカメラハウジング１４内に固定されたカメラモジュール６４（図６参照）とからなり、本体ケース３に回転自在に取り付けられている。
【００１４】
前カバー１１には、ＬＣＤ２１、撮影・録音ボタン２２、再生ボタン２３、停止ボタン２４が設けられている。また、前カバー１１には、メニューボタン２５、モード切替ボタン２６、ディスプレイボタン２７、撮影時及び再生時に画像の拡大及び縮小を行うズームボタン２８、エンターボタン（決定ボタン）の周囲に上下及び左右のセレクトボタンが配されたセレクト・エンターキー２９が設けられている。
【００１５】
モード切替ボタン２６を押圧すると、動画撮影及び録音を行う動画撮影モードと、録音を行わずに静止画撮影のみを行う静止画撮影モードと、撮影を行わずに録音のみ行う録音モードと、画像や音声の再生をする再生モードとの１つを選択することができる。
【００１６】
ＬＣＤ２１の下方には、各種機能を実行させるための第１ファンクションボタン３１、第２ファンクションボタン３２、第３ファンクションボタン３３が設けられている。
【００１７】
後カバー１３には、スピーカ３６（図１４参照）から出力された音声を外部に発するスピーカ孔１３ａが複数形成されている。
【００１８】
動画撮影モードで撮影・録音ボタン２２を押圧すると、動画撮影及び録音が開始される。静止画撮影モードで撮影・録音ボタン２２を押圧すると、静止画撮影が開始される。録音モードで撮影・録音ボタン２２を押圧すると、録音が開始される。
【００１９】
再生モードで再生ボタン２３を押圧すると、記録された動画、静止画、音声のうち、選択されたデータ（ファイル）の再生が行われる。動画及び静止画は、ＬＣＤ２１に表示され、音声は、スピーカ３６から出力される。
【００２０】
メニューボタン２５を押圧すると、ＬＣＤ２１に、各種設定を行うための設定画面が表示される。設定画面中の「ＰＬＡＹＬＩＳＴ」を選択すると、再生するデータを選択する選択画面が表示される。選択画面または設定画面中に、セレクト・エンターキー２９を操作すると、設定及び選択が行われる。
【００２１】
第１ファンクションボタン３１を長押し操作すると、電源のオン／オフが行われ、第３ファンクションボタン３３を操作すると、撮影・録音経過時間や残量時間等を表示するホーム画面が表示される。
【００２２】
本体ケース３の側面には、音量を調整するボリュームノブ４０、音声出力用の出力端子４１、画像出力用の出力端子４２が設けられている。
【００２３】
左マイクロフォン４は、前カバー１１、本体部１２、後カバー１３及び左マイク用下カバー４３（図３参照）によりほぼ円筒状に形成された左トランスデューサ室４６と、この左トランスデューサ室４６内に収納された左トランスデューサ４７（図３参照）とから構成されている。右マイクロフォン５は、前カバー１１、本体部１２、後カバー１３及び右マイク用下カバー４４（図３参照）によりほぼ円筒状に形成された右トランスデューサ室４９と、この右トランスデューサ室４９内に収納された右トランスデューサ５０（図３参照）とから構成されている。
【００２４】
右トランスデューサ室４９の周面には、周囲の音を右トランスデューサ５０に到達させるために、約９０°の範囲にわたって形成した集音開口４９ａが６個（前側３個、背面側３個）形成されている。右トランスデューサ室４９の側面には、マイクロフォンキャップ４８が取り付けられている。このマイクロフォンキャップ４８には、右側の音を右トランスデューサ室４９に入れるための集音孔４８ａが形成されている。同様に、左トランスデューサ室４６は集音開口４６ａが形成され、側面にはマイクロフォンキャップ４８が取り付けられている。
【００２５】
図３に示すように、本体部１２には、左トランスデューサ室４６の下面を形成するための左マイク用下カバー４３と、右トランスデューサ室４９の下面を形成するための右マイク用下カバー４４とが設けられている。
【００２６】
図４〜図８において、左トランスデューサ４７は、左支持アーム５５により支持され、右トランスデューサ５０は、右支持アーム５６により支持されている。左支持アーム５５と右支持アーム５６とは、左右対称形をしている。左支持アーム５５は、根元部がカメラハウジング１４に保持されている。左支持アーム５５の先端には、根元部から２方向に突出し、左トランスデューサ４７の前後面における外周部の一部、及び側面の一部に当接して左トランスデューサ４７を支持するように、２個のツノ状の支持部５５ａ，５５ｂが形成されている。なお、図４は、下方から見た断面図である。
【００２７】
支持部５５ａ，５５ｂの先端部には、左トランスデューサ４７を支持する支持爪５５ｃが上下に形成されている。左トランスデューサ４７は、前後面における外周部の一部及び側面の一部が支持部５５ａ，５５ｂ及び支持爪５５ｃにより支持され、周囲（上方、下方、前方及び後方）に隙間が空いた状態で、左トランスデューサ室４６に収納されている。左トランスデューサ室４６に加わる振動は支持部５５ａ，５５ｂによって吸収され、左トランスデューサ４７への伝達が軽減される。同様に、右トランスデューサ５０は、右支持アーム５６の支持部５６ａ，５６ｂ及び支持爪５６ｃにより支持されている。左右トランスデューサ４７，５０は、カメラ６の向きに対して、例えば４５°傾いた状態で、左右支持アーム５５，５６により支持されている。
【００２８】
図９において、カメラハウジング１４は、カメラ前カバー６１とカメラ後カバー６２とから構成され、略円筒状をしている。カメラ前カバー６１には、透明な撮影窓６３が設けられている。撮影窓６３の後方には、カメラモジュール６４が配され、このカメラモジュール６４は、中継基板６５と重なるように取り付けられている。カメラモジュール６４は、撮影レンズが組み込まれたレンズ部６４ａと、ベース部６４ｂとを備え、このベース部６４ｂには、撮像素子、例えばＣＭＯＳ（イメージセンサ）６６（図１４参照）が取り付けられている。ベース部６４ｂの後面には、ＦＰＣ７０の一端が固定され、このＦＰＣ７０には、ＣＭＯＳ６６が接続されている。図１０に示すように、カメラモジュール６４は、カメラモジュールホルダ（以下、モジュールホルダ）６７に保持され、中継基板６５に取り付けられている。なお、ＣＭＯＳ６６の代わりにＣＣＤを用いてもよい。
【００２９】
カメラ前カバー６１には、モジュールホルダ６７を受ける受けボス６１ａが２本形成され、この受けボス６１ａには、ビス締め孔６１ｂが形成されている。各カメラカバー６１，６２には、カメラ６を回転するときの指先の引っ掛けとなる引掛用凹み６８が形成されている。
【００３０】
モジュールホルダ６７には、位置決め突起６７ａとビス挿通孔６７ｂとがそれぞれ２個ずつ形成されている。モジュールホルダ６７には、上方が開口した箱状の受け部６７ｃが形成され、この中にカメラモジュール６４が収納される。また、モジュールホルダ６７には、カメラモジュール６４の上端を押える押え片６７ｄと、中継基板６５に係合するフック６７ｅとが形成されている。フック６７ｅは、左右に１個ずつ計２個形成されている。なお、図１０では、一方のフック６７ｅのみが描かれている。
【００３１】
中継基板６５には、位置決め突起６７ａが挿入される位置決め孔６５ａと、ビス挿通孔６５ｂとがそれぞれ２個ずつ形成されている。また、中継基板６５には、カメラモジュール６４を接続するためのコネクタ７１が取り付けられている。このコネクタ７１は、上面に接続用開口７１ａが形成されている。カメラモジュール６４に一端が接続されたＦＰＣ７０は、ほぼＵ字形となるように例えば１８０°折り返した状態で他端（先端）が接続用開口７１ａに挿入されている。ＦＰＣ７０の弾性力により、カメラモジュール６４は、前方向（中継基板６５から離間する方向）に付勢されてモジュールホルダ６７の押え片６７ｄに押し付けられ、ガタつきが防止される。
【００３２】
図７に示すように、中継基板６５には、左トランスデューサ４７を接続するための２本の接続ワイヤ８１の一端が接続されている。同様に、２本の接続ワイヤ８２により、右トランスデューサ５０は、中継基板６５に接続されている。
【００３３】
中継基板６５の右端には、音声用ＦＦＣ８３の一端が接続され、中継基板６５の左端には、画像用ＦＰＣ８４の一端が接続されている。また、中継基板６５には、撮影中を示すＬＥＤ８８が設けられている。ＬＥＤ８８からの光は、モジュールホルダ６７に取り付けられた透明なライトガイド８９に入射される。このライトガイド８９の先端は、カメラ前カバー６１に形成されたガイド孔６１ｃに挿入され、ＬＥＤ８８からの光は、ライトガイド８９を通って外部に照射され、撮影中であることを表示する。
【００３４】
ビス９０は、中継基板６５のビス挿通孔６５ｂ、モジュールホルダ６７のビス挿通孔６７ｂを介して、カメラ前カバー６１のビス締め孔６１ｂに螺合している。このビス９０により、モジュールホルダ６７及び中継基板６５は、カメラ前カバー６１に固定されている。
【００３５】
図６に示すように、カメラ前カバー６１は、左側面に半円柱状の左前凸部９１が形成され、そして、右側面に半円柱状の右前凸部９２（図９参照）が形成されている。カメラ後カバー６２は、左側面に半円柱状の左後凸部９３が形成され、右側面に半円柱状の右後凸部９４が形成されている。
【００３６】
カメラ前カバー６１の左前凸部９１には、画像用ＦＰＣ８４を挿通してカメラモジュール１４の左側部から引き出すためのＦＰＣ用切欠き９５が形成されている。同様に、カメラ後カバー６２の左後凸部９３には、ＦＰＣ用切欠き９６が形成されている。ＦＰＣ用切欠き９５，９６の壁面は、画像用ＦＰＣ８４を上方及び側方に突出させるように傾斜している。
【００３７】
カメラ前カバー６１の右前凸部９２には、音声用ＦＦＣ８３を挿通してカメラモジュール１４の右側部から引き出すためのＦＦＣ用切欠き９７が形成されている。同様に、カメラ後カバー６２の右後凸部９４には、ＦＦＣ用切欠き９８が形成されている。ＦＦＣ用切欠き９７，９８の壁面は、音声用ＦＦＣ８３を下方及び側方に突出させるように傾斜している。
【００３８】
左前凸部９１には、左支持アーム５５を位置決めする位置決め突起９１ａが２個形成され、同様に、右前凸部９２には、位置決め突起９２ａが２個形成されている。また、左後凸部９３には、左支持アーム５５が挿通される切欠き９３ａが形成され、同様に、右後凸部９４には、切欠き９４ａが形成されている。
【００３９】
左前凸部９１の内部には、左支持アーム５５を保持するための左保持凹部９１ｂが形成され、同様に、左後凸部９３の内部には、左保持凹部９３ｂが形成されている。また、右前凸部９２の内部には、右支持アーム５６を保持するための右保持凹部９２ｂが形成され、同様に、右後凸部９４の内部には右保持凹部９４ｂが形成されている。
【００４０】
左支持アーム５５は、位置決め片５５ｄと保持片５５ｅとが形成されている。位置決め片５５ｄが２個の位置決め突起９１ａの間に挿入され、保持片５５ｅの一端が左保持凹部９１ｂに挿入されている。この状態で、カメラ後カバー６２はカメラ前カバー６１に取り付けられ、左保持凹部９３ｂに保持片５５ｅの他端が挿入されているから、左支持アーム５５はカメラ前カバー６１及びカメラ後カバー６２からなるカメラハウジング１４で保持される。同様に、右支持アーム５６の位置決め片５６ｄが２個の位置決め突起９２ａの間に挿入され、保持片５６ｅが右保持凹部９２ｂ，９４ｂに挿入されているから、右支持アーム５６はカメラハウジング１４に保持される。これにより、カメラハウジング１４内に配されたカメラモジュール６４と、左右支持アーム５５，５６に支持された左右トランスデューサ４７，５０とが一体化される。
【００４１】
左前凸部９１及び左後凸部９３には、それぞれビス締め孔１０１と位置決め孔１０２とが形成されている。また、右前凸部９２及び右後凸部９４には、それぞれビス締め孔１０３と位置決め孔１０４とが形成されている。
【００４２】
図５に示すように、左前凸部９１及び左後凸部９３には、略Ｃ字状の左軸板１０７が取り付けられ、右前凸部９２及び右後凸部９４には、略Ｃ字状の右軸板１０８が取り付けられている。
【００４３】
左軸板１０７には、ビス挿通孔１１１と位置決め突起１１２とがそれぞれ２個形成され、右軸板１０８には、ビス挿通孔１１３と位置決め突起１１４とがそれぞれ２個形成されている。位置決め突起１１２を位置決め孔１０２に挿入して位置決めした状態で、ビス１１６が、ビス挿通孔１１１を介してビス締め孔１０１に螺合され、左軸板１０７がカメラハウジング１４に固定されている。同様に、右軸板１０８は、ビス１１６によりカメラハウジング１４に固定されている。
【００４４】
左トランスデューサ室４６の内部には、左軸板１０７を回転自在に支持する左軸受け部１１８が設けられ、右トランスデューサ室４９の内部には、右軸板１０８を回転自在に支持する右軸受け部１１９が設けられている（図４参照）。左右軸板１０７，１０８が左右軸受け部１１８，１１９に回転自在に支持されているから、左右軸板１０７，１０８が固定されたカメラ６が回転自在となる。本実施形態では、カメラ６は、前方を向いた状態（図２参照）と後方を向いた状態との１８０°の範囲内で回転可能に設けられ、その回転範囲内であれば、上方を向いた状態等、自由に位置決めすることができる。
【００４５】
図１２及び図１３に示すように、左トランスデューサ室４６の内部には、左軸板１０７の回転位置を規制するため、クリックストップ機構１２１が設けられている。このクリックストップ機構１２１は、左軸板１０７の側面に形成されたクリック凹部１２２と、前カバー１１に形成されたクリック爪１２３とから構成されている。クリック爪１２３は、前カバー１１に形成された弾性変形可能なクリック片１２４の先端に形成されている。クリック爪１２３がクリック凹部１２２に嵌入すると、左軸板１０７の位置が固定され、カメラ６も、その位置で固定される。クリック凹部１２２は、９０°ピッチで３個形成されている。なお、クリック凹部１２２を形成するピッチは、適宜変更可能である。
【００４６】
右トランスデューサ室４９の内部には、カメラ６が上方を向いたことを検知する検知スイッチ１２５（図１４参照）が配されている。右軸板１０８には、カメラ６が図２に示す前方を向く位置から上方を向く位置に回転されたときに、検知スイッチ１２５を押圧してオンするスイッチ用突起１０８ａ（図５参照）が形成されている。このスイッチ用突起１０８ａは、カメラ６が後方を向く位置から上方を向く位置に回転されたときに、検知スイッチ１２５をオフする。検知スイッチ１２５は、オンされると検知信号を出力する。
【００４７】
各カメラカバー６１，６２のＦＦＣ用切欠き９７，９８を挿通され、カメラハウジング１４の右側部から引き出された音声用ＦＦＣ８３は、例えば１回転（３６０°）ループ（円巻き）され、カメラハウジング１４と右軸板１０８との間に配される。また、各カメラカバー６１，６２のＦＰＣ用切欠き９５，９６を挿通され、カメラハウジング１４の左側部から引き出された画像用ＦＰＣ８４は、例えば１．５回転（５４０°）ループされ、カメラハウジング１４と左軸板１０７との間に配される。なお、音声用ＦＦＣ８３及び画像用ＦＰＣ８４の巻き数（角度）は、カメラハウジング１４の回転角度（１８０°）以上の角度であれば、カメラハウジング１４の径の大きさや音声用ＦＦＣ８３及び画像用ＦＰＣ８４の材質に応じて、適宜変更可能であるが、カメラハウジング１４を回転したときの音声用ＦＦＣ８３及び画像用ＦＰＣ８４の巻径の変化量（撓みの大きさ）を考慮すると、カメラハウジング１４の回転角度の２倍以上、すなわち３６０°（１巻き）以上であることが好ましい。
【００４８】
音声用ＦＦＣ８３のループされた部分と、各カメラカバー６１，６２の各凸部９２，９４との間には、隙間があり、カメラハウジング１４が回転されて音声用ＦＦＣ８３が引っ張られたり弛んだりするときにも、この隙間内で音声用ＦＦＣ８３が変形する。カメラハウジング１４の回転により音声用ＦＦＣ８３が引っ張られたときには、音声用ＦＦＣ８３の円巻き径が小さくなるように変形し、カメラハウジング１４の回転により音声用ＦＦＣ８３が弛んだときには、音声用ＦＦＣ８３の円巻き径が大きくなるように変形する。同様に、カメラハウジング１４が回転されて画像用ＦＰＣ８４が引っ張られたり弛んだりするときにも、画像用ＦＰＣ８４と各凸部９１，９３との隙間内で画像用ＦＰＣ８４が変形する。
【００４９】
音声用ＦＦＣ８３及び画像用ＦＰＣ８４の一端は、カメラハウジング１４内の中継基板６５に接続され、他端は本体ケース３に収納された制御基板１２８に接続されている（図３参照）。ループを有する音声用ＦＦＣ８３及び画像用ＦＰＣ８４を接続した中継基板６５を用い、この中継基板６５にカメラモジュール６４が取り付けられるから、カメラモジュール６４は、直線状に延びるＦＰＣ７０を有する汎用カメラモジュールを使用することができる。
【００５０】
図１４において、中継基板６５には、ＣＭＯＳ用ＡＦＥ（Ａｎａｌｏｇ  Ｆｒｏｎｔ  Ｅｎｄ）１３２が設けられている。ＣＭＯＳ用ＡＦＥ１３２は、ＣＭＯＳ６６から入力されたアナログの画像信号に対してノイズ成分除去、増幅処理、デジタル処理を施してデジタル信号に変換する。また、中継基板６５には、撮影状態を表示するＬＥＤ８８が設けられている。
【００５１】
制御基板１２８には、カメラ付きポータブル録音装置２の駆動を制御する記録／再生制御部１４１が設けられている。静止画撮影モードでは、カメラ６からの画像信号は、記録／再生制御部１４１により、静止画データとして本体ケース３の内部に着脱可能に収納されるＳＤカード１４２に記録される。動画撮影モードでは、左右マイクロフォン４，５からの音声信号、及びカメラ６からの画像信号は、記録／再生制御部１４１により、画像データ及び音声データを含む動画フィルとしてＳＤカード１４２に記録される。録音モードでは、左右マイクロフォン４，５からの音声信号は、記録／再生制御部１４１により、音声データとしてＳＤカード１４２に記録される。
【００５２】
また、制御基板１２８には、左右トランスデューサ４７，５０から中継基板６５、音声用ＦＦＣ８３を介して入力されたアナログの音声信号をデジタル音声信号に変換する音声Ａ／Ｄ変換器１４４と、中継基板６５から入力されるデジタル信号に各種の信号処理を施す画像ＤＳＰ（Ｄｉｇｉｔａｌ  Ｓｉｇｎａｌ  Ｐｒｏｃｅｓｓｏｒ）１４５及び音声ＤＳＰ１４６と、ＬＣＤ２１の表示を制御するための表示制御部１４７とが設けられている。
【００５３】
ここで、カメラ機構は、ＣＭＯＳ６６、ＣＭＯＳ用ＡＦＥ１３２、画像ＤＳＰ１４５、記録／再生制御部１４１で構成され、録画部は、画像ＤＳＰ１４５、記録／再生制御部１４１で構成されている。また、ステレオ録音機構は、左右トランスデューサ４７，５０、音声Ａ／Ｄ変換器１４４、音声ＤＳＰ１４６、記録／再生制御部１４１で構成され、録音部は、音声ＤＳＰ１４６、記録／再生制御部１４１で構成されている。
【００５４】
次に、上記実施形態の作用について説明する。カメラ付きポータブル録音装置２で動画撮影を行うときには、モード切替ボタン２６を操作して動画撮影モードにセットする。カメラ６が、撮影すべきシーンに向くように、カメラハウジング１４を回転する。カメラハウジング１４が回転されると、クリック片１２４は弾性変形し、クリック爪１２３がクリック凹部１２２から抜け出して固定が解除される（図１３参照）。クリック爪１２３がクリック凹部１２２に対向する位置までカメラ６を回転させると、クリック片１２４は元の形状に戻り（弾性変形）、クリック爪１２３がクリック凹部１２２に嵌入される。カメラハウジング１４の固定を解除するためには、比較的に大きな力が必要であり、通常の使用状態では、振動が加わってもカメラハウジング１４の固定が解除されることはない。
【００５５】
また、カメラハウジング１４の回転中に、中継基板６５も回転する。この回転に応じて、カメラハウジング１４の左右に配した音声用ＦＦＣ８３及び画像用ＦＰＣ８４のループが、巻き弛み、または巻き締めされるから、これらが引っ掛かることなく、カメラハウジング１４がスムーズに回転する。
【００５６】
カメラハウジング１４の回転により、カメラハウジング１４内のカメラモジュール６４と、左支持アーム５５及び右支持アーム５６とが一体的に回転する。この回転によって、撮影窓６３がシーンに合わせられ、また左右支持アーム５５，５６に支持された左右トランスデューサ４７，５０は、シーンに対して４５°傾いた状態に合わせられる。
【００５７】
カメラ６が、前方を向く位置から上方を向く位置に回転されると、右軸板１０８のスイッチ用突起１０８ａにより検知スイッチ１２５がオンされ、検知スイッチ１２５から記録／再生制御部１４１に検知信号が入力される。記録／再生制御部１４１は、検知信号が入力されると、ＣＭＯＳ６６で撮影した状態から画像を１８０°回転させて上下を反転させる。また、カメラ６が、後方を向く位置から上方に向く位置に回転されると、スイッチ用突起１０８ａにより検知スイッチ１２５がオフされ、検知信号の入力が停止される。記録／再生制御部１４１は、検知信号の入力が停止されると、画像の反転を停止する。
【００５８】
動画撮影モードでは、カメラモジュール６４が作動しているので、ＣＭＯＳ６６は、シーンを撮影して画像信号を出力する。この画像信号は、ＦＰＣ７０を介して中継基板６５のＣＭＯＳ用ＡＦＥ１３２に入力される。この入力された画像信号は、ＣＭＯＳ用ＡＦＥ１３２で増幅、サンプリング、Ａ／Ｄ変換された後、デジタル信号として画像用ＦＰＣ８４を介して制御基板１２８に送られる。
【００５９】
また、シーンからの音は、集音開口４６ａ，４９ａ、集音孔４８ａを通って左右トランスデュー室４６，４９に入る。これらの音は、左右トランスデューサ４７，５０で音声信号に変換されて、接続ワイヤ８１，８２、中継基板６５、音声用ＦＦＣ８３を介して制御基板１２８の音声Ａ／Ｄ変換器１４４に入力される。音声Ａ／Ｄ変換器１４４は、音声用ＦＦＣ８３を介して入力される音声信号を、デジタル信号に変換する。この音声用ＦＦＣ８３は、画像用ＦＰＣ８４と離れているから、音声信号と画像信号とが干渉し合うことによるノイズ発生が防止される。また、左右トランスデューサ４７，５０の周囲、特に後方には、スペースが確保されているから、後方からの反響を受けることがなく、高品質の音声信号を得ることができる。
【００６０】
制御基板１２８の画像ＤＳＰ１４５は、デジタル画像信号に簡単な画像処理を施してから表示制御部１４７を介してＬＣＤ２１に送る。このＬＣＤ２１には、モニタ用のスルー画が表示される。
【００６１】
ＬＣＤ２１でシーンを確認してから、撮影・録音ボタン２２を押圧して動画撮影を開始する。この動画撮影中は、画像ＤＳＰ１４５は、デジタル画像信号に高精度な画像処理を施し、また、音声ＤＳＰ１４６は、デジタル音声信号に各種の信号処理を施す。記録／再生制御部１４１は、信号処理が施されたデジタル信号から、画像データ及び音声データを含む動画フィルを生成し、ＳＤカード１４２に記録する。この動画撮影中も、撮影済みの画像がＬＣＤ２１に表示される。
【００６２】
静止画撮影モードでは、カメラ機構だけが作動され、録音機構は作動しない。静止画撮影モードで撮影・録音ボタン２２を押圧すると、記録／再生制御部１４１は、画像ＤＳＰ１４５で画像処理が施されたデジタル画像信号を静止画データとしてＳＤカード１４２に記録する。なお、静止画撮影モードでも、ＬＣＤ２１には、モニタ用のスルー画が表示される。
【００６３】
録音モードでは、録音機構だけが作動され、カメラ機構は作動しない。撮影・録音ボタン２２を押圧すると、記録／再生制御部１４１は、音声ＤＳＰ１４６で信号処理が施されたデジタル音声信号を音声データとしてＳＤカード１４２に記録する。
【００６４】
再生モードでは、再生するデータあるいはファイルを選択する選択画面として、動画及び静止画のサムネイル画像と、音声データのタイトルとがＬＣＤ２１に表示される。セレクト・エンターキー２９を操作して、再生する１つを選択し、再生ボタン２３を押圧する。再生ボタン２３が押圧されると、記録／再生制御部１４１は、ＳＤカード１４２内の静止画データ、音声データ、動画ファイルの中から選択された１つを読み出し、画像をＬＣＤ２１に表示し、音声をスピーカ３６から出力する。
【００６５】
なお、上記実施形態では、本発明をカメラ付きポータブル録音装置に実施しているが、カメラ付き携帯電話に実施してもよい。
【００６６】
また、上記実施形態では、トランスデューサをトランスデューサ室内部に傾いた状態で配置しているが、トランスデューサをトランスデューサ室内部に平行に配置してもよい。
【００６７】
さらに、上記実施形態では、カメラハウジングの右側部から音声用ＦＦＣを引き出し、カメラハウジングの左側部から画像用ＦＰＣを引き出しているが、それぞれ逆側から引き出してもよい。
【００６８】
また、上記実施形態では、支持アームは、トランスデューサの前後面及び側面の一部を支持しているが、少なくともトランスデューサの前面を開放した状態で支持すればよく、トランスデューサの後面及び側面の全面を支持してもよい。
【００６９】
さらに、上記実施形態では、左軸板を所定の回転位置に位置決めしているが、右軸板を位置決めしてもよい。
【符号の説明】
【００７０】
２  カメラ付きポータブル録音装置
３  本体ケース
６  カメラ
１４  カメラハウジング
４７  左トランスデューサ
５０  右トランスデューサ
６４  カメラモジュール
６５  中継基板
６７  カメラモジュールホルダ
７０  ＦＰＣ
８３  音声用ＦＦＣ（音声用フレキシブル配線シート）
８４  画像用ＦＰＣ（画像用フレキシブル配線シート）
【図１】
0005556543.tif 000002
【図２】
0005556543.tif 000003
【図３】
0005556543.tif 000004
【図４】
0005556543.tif 000005
【図５】
0005556543.tif 000006
【図６】
0005556543.tif 000007
【図７】
0005556543.tif 000008
【図８】
0005556543.tif 000009
【図９】
0005556543.tif 000010
【図１０】
0005556543.tif 000011
【図１１】
0005556543.tif 000012
【図１２】
0005556543.tif 000013
【図１３】
0005556543.tif 000014
【図１４】
0005556543.tif 000015